(57)【要約】【課題】省エネルギーを実現可能であって、ユーザーの要望に応じた画像の読み取りを行うことができる画像読み取り装置を提供する。【解決手段】画像読み取り装置１４は、変化値導出部２７と、タイミング決定部２８とを備える。変化値導出部２７は、補正部２５によりシェーディング補正を行った際に得られた補正値のデータと記憶部１７に記憶された前回の補正値のデータとの変化の値である変化値を導出する。タイミング決定部２８は、変化値導出部２７により導出された変化値に基づいて、次回の補正部２５によるシェーディング補正を行うタイミングを決定する。【選択図】図４
2019062274.tif 000002
【特許請求の範囲】
【請求項１】
原稿の画像を読み取る画像読み取り装置であって、
画像を読み取る原稿に対して光を照射する光照射部と、
前記原稿からの反射光から前記原稿の画像を読み取る画像読み取り部と、
白色であって、前記光照射部による光の照射が可能な位置に設けられる白基準部と、
所定のタイミングに達すれば前記光照射部により照射された光が前記白基準部によって反射された反射光に基づいてシェーディング補正を行う補正部と、
データを記憶する記憶部と、
前記補正部により補正された補正値のデータを前記記憶部に記憶するよう制御する記憶制御部と、
前記補正部により前記シェーディング補正を行った際に得られた補正値のデータと前記記憶部に記憶された前回の前記補正値のデータとの変化の値である変化値を導出する変化値導出部と、
前記変化値導出部により導出された前記変化値に基づいて、次回の前記補正部による前記シェーディング補正を行うタイミングを決定するタイミング決定部とを備える、画像読み取り装置。
【請求項２】
前記タイミング決定部は、前記変化値導出部により導出された前記変化値が所定の範囲内か否かを判断する判断部を含み、
前記判断部により前記変化値が前記所定の範囲内であると判断されれば、所定の時間間隔よりも長い第一の時間間隔で前記補正部による前記シェーディング補正を行うタイミングを決定する、請求項１に記載の画像読み取り装置。
【請求項３】
前記タイミング決定部は、前記判断部により前記変化値が前記所定の範囲外であると判断されれば、前記所定の時間間隔よりも短い第二の時間間隔で前記補正部による前記シェーディング補正を行うタイミングを決定する、請求項２に記載の画像読み取り装置。
【請求項４】
前記補正部による前記シェーディング補正の停止の指示を受け付ける停止指示受け付け部と、
前記停止指示受け付け部により前記シェーディング補正の停止の指示を受け付ければ、前記タイミング決定部により決定された前記タイミングに関わらず、前記補正部の作動を停止するよう制御する補正部作動停止制御部とをさらに備える、請求項１〜請求項３のいずれか１項に記載の画像読み取り装置。
【請求項５】
前記画像読み取り装置により前記原稿の画像を読み取ってからの時間の経過を計測する時間計測部をさらに備え、
前記補正部作動停止制御部は、前記時間計測部により計測された時間が所定の時間を経過すれば、前記補正部の作動を停止するよう制御する、請求項４に記載の画像読み取り装置。
【請求項６】
前記画像読み取り装置への作動の要求を検知する検知部と、
前記検知部により前記画像読み取り装置への作動の要求を検知すれば、前記補正部作動停止制御部により停止するよう制御された前記補正部の作動を再開させる再開制御部とをさらに備える、請求項４または請求項５に記載の画像読み取り装置。
【請求項７】
前記原稿の画像の読み取りの開始の指示を受け付ける開始指示受け付け部をさらに備え、
前記タイミング決定部は、前記開始指示受け付け部により前記原稿の画像の読み取りの開始の指示を受け付ければ、前記補正部による前記シェーディング補正を行うタイミングを、前記画像読み取り装置による前記原稿の画像の読み取りの前のタイミングに決定する、請求項１〜請求項６のいずれか１項に記載の画像読み取り装置。
【請求項８】
前記画像読み取り装置による前記原稿の画像の読み取り中に前記補正部によるシェーディング補正のタイミングに達すれば、前記画像読み取り装置による前記原稿の画像の読み取りを中断して前記補正部による前記シェーディング補正の実行の有無の問い合わせを受け付ける問い合わせ受け付け部をさらに備える、請求項１〜請求項７のいずれか１項に記載の画像読み取り装置。
【請求項９】
請求項１〜請求項８のいずれか１項に記載の前記画像読み取り装置と、
前記画像読み取り装置により読み取られた前記原稿の画像に基づいて画像を形成する画像形成部とを含む、画像形成装置。
【発明の詳細な説明】
【技術分野】
【０００１】
この発明は、画像読み取り装置、および画像形成装置に関するものである。
【背景技術】
【０００２】
複合機に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナーを供給して可視画像とした後、用紙にトナーを転写して定着させ、装置外に出力する。
【０００３】
ここで、画像の読み取りの補正に関する技術が、特開２００１−２１１２９８号公報（特許文献１）、および特開２０１３−１６５４２５号公報（特許文献２）に開示されている。
【０００４】
特許文献１には、原稿画像を走査して読み込む画像走査手段と、前記画像走査手段により読み込まれた前記原稿画像データを補正する補正手段と、所定時間の経過を計測する計時手段と、前記計時手段により前記所定時間の経過が計測されない場合に前記画像走査手段に第１基準部材を走査させることで第１基準画像データを生成し、前記計時手段により前記所定時間の経過が計測された場合に前記画像走査手段に第２基準部材を走査させることで第２基準画像データを生成し、生成された前記第１又は第２基準画像データに基づいて前記補正手段に前記原稿画像データを補正させるように制御する制御手段とを備えたことを特徴とする画像形成装置が開示されている。
【０００５】
また、特許文献２には、原稿を搬送する搬送手段と、前記搬送された原稿を搬送読み取り領域で読み取る読み取り手段と、前記読み取り手段の読み取り可能な位置に配置された白基準板と、前記白基準板を読み取らせて白基準データを取得すると共に、前記白基準データの取得に比して多い頻度で黒基準データを取得するよう前記搬送手段及び読み取り手段を制御する制御手段とを備えた画像読み取り装置が開示されている。
【先行技術文献】
【特許文献】
【０００６】
【特許文献１】特開２００１−２１１２９８号公報
【特許文献２】特開２０１３−１６５４２５号公報
【発明の概要】
【発明が解決しようとする課題】
【０００７】
画像を読み取る際に、原稿に対して照射する光の光量に基づいて補正を行うシェーディング補正がなされる場合がある。シェーディング補正は、高画質の画像の読み取りを行う観点から、適切なタイミングで実施する必要がある。特許文献１に開示の技術では、サービスマンによる対応であるため、適切なシェーディング補正をすることができない。特許文献２に開示の技術では、画像の読み取り処理の状況により適切なタイミングで白基準板を読み取らせることができず、特許文献２においても適切なシェーディング補正を行うことができないおそれがある。また、シェーディング補正に要するエネルギーの低減も求められ、適切なシェーディング補正に基づいた、できるだけ高い画質での画像の読み取りもユーザーから要望される。
【０００８】
この発明の目的は、省エネルギーを実現可能であって、ユーザーの要望に応じた画像の読み取りを行うことができる画像読み取り装置を提供することである。
【０００９】
この発明の他の目的は、省エネルギーを実現可能であって、ユーザーの要望に応じた画像形成を行うことができる画像形成装置を提供することである。
【課題を解決するための手段】
【００１０】
この発明の一の局面においては、画像読み取り装置は、原稿の画像を読み取る。画像読み取り装置は、光照射部と、画像読み取り部と、白基準部と、補正部と、記憶部と、記憶制御部と、変化値導出部と、タイミング決定部とを備える。光照射部は、画像を読み取る原稿に対して光を照射する。画像読み取り部は、原稿からの反射光から原稿の画像を読み取る。白基準部は、白色であって、光照射部による光の照射が可能な位置に設けられる。補正部は、所定のタイミングに達すれば光照射部により照射された光が白基準部によって反射された反射光に基づいてシェーディング補正を行う。記憶部は、データを記憶する。記憶制御部は、補正部により補正された補正値のデータを記憶部に記憶するよう制御する。変化値導出部は、補正部によりシェーディング補正を行った際に得られた補正値のデータと記憶部に記憶された前回の補正値のデータとの変化の値である変化値を導出する。タイミング決定部は、変化値導出部により導出された変化値に基づいて、次回の補正部によるシェーディング補正を行うタイミングを決定する。
【００１１】
この発明の他の局面においては、画像形成装置は、上記の画像読み取り装置と、画像読み取り装置により読み取られた原稿の画像に基づいて画像を形成する画像形成部とを含む。
【発明の効果】
【００１２】
このような画像読み取り装置によると、タイミング決定部は、変化値導出部により導出された変化値に基づいて、次回の補正部によるシェーディング補正を行うタイミングを決定することとしている。そうすると、例えば、変化値が小さい場合には、シェーディング補正を行う頻度を少なくすることができ、省エネルギーを実現することができる。この場合、シェーディング補正の補正データと前回の補正データとの変化の度合いが小さいため、画像読み取り時における画質をある程度高く維持することができる。したがって、このような画像読み取り装置は、省エネルギーを実現可能であって、ユーザーの要望に応じた画像の読み取りを行うことができる。
【００１３】
また、このような画像形成装置によると、省エネルギーを実現可能であって、ユーザーの要望に応じた画像形成を行うことができる。
【図面の簡単な説明】
【００１４】
【図１】この発明の一実施形態に係る画像読み取り装置を備える画像形成装置を複合機に適用した場合の複合機の外観図である。
【図２】図１に示す複合機の構成を示すブロック図である。
【図３】ＡＤＦを含む画像読み取り装置の一部を示す概略断面図である。
【図４】制御部の構成を示すブロック図である。
【図５】シェーディング補正を行う際の処理の流れを示すフローチャートである。
【図６】この発明の他の実施形態に係る画像形成装置としての複合機に備えられる制御部の構成を示すブロック図である。
【発明を実施するための形態】
【００１５】
以下、この発明の実施の形態を説明する。なお、以下の図面において同一または相当する部分には同一の参照番号を付しその説明は繰返さない。
【００１６】
図１は、この発明の一実施形態に係る画像読み取り装置を備える画像形成装置を複合機に適用した場合の複合機１１の外観図である。図２は、図１に示す複合機１１の構成を示すブロック図である。図１および図２を参照して、複合機１１は、画像処理に関し、コピー機能、プリンター機能、ファクシミリ機能等、複数の機能を有する。複合機１１は、制御部１２と、操作部１３と、画像読み取り装置１４と、画像形成部１５と、給紙カセット１６と、データを記憶する記憶部としてのハードディスク１７と、ネットワーク２３と接続するためのネットワークインターフェース部１８とを備える。
【００１７】
制御部１２は、複合機１１全体の制御を行う。なお、制御部１２は、ＣＰＵ（Ｃｅｎｔｒａｌ  Ｐｒｏｃｅｓｓｉｎｇ  Ｕｎｉｔ）等から構成されており、一時的にデータを記憶する主記憶メモリ１９を含む。操作部１３は、複合機１１側から発信される情報やユーザーの入力内容を表示する表示部としての表示画面２１を含む。画像読み取り装置１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り装置１４は、ＡＤＦ２２または原稿を載置する後述の載置台４１上にセットされた原稿の画像を読み取る。給紙カセット１６は複数設けられており、それぞれ複数枚の用紙をその内部に収納することができる。画像形成部１５は、画像読み取り装置１４により読み取られた原稿の画像データやネットワーク２３を介して送信された画像データを基に、給紙カセット１６から搬送されてきた用紙に画像を形成して印刷する。ハードディスク１７は、送信された画像データや入力された画像形成条件等、画像形成に関するデータを記憶する。なお、ハードディスク１７には、後述する記憶制御部２６により、前回シェーディング補正を行った際の補正値データＸ０が記憶されている。
【００１８】
次に、複合機１１に備えられる画像読み取り装置１４の構成について、さらに詳細に説明する。図３は、ＡＤＦ２２を含む画像読み取り装置１４の一部を示す概略断面図である。なお、図３における副走査方向を、矢印Ｄ１で示す向きまたはその逆の向きで示している。
【００１９】
図１〜図３を参照して、まず、画像読み取り装置１４に含まれるＡＤＦ２２の構成について説明する。ＡＤＦ２２は、搬送される複数の原稿３１をセットする原稿セット台３２と、原稿セット台３２にセットされた原稿３１を順次供給するピックアップローラー３３と、搬送する原稿３１を一枚ごとに分離する分離ローラー３４と、原稿３１を読み取り位置３５まで搬送する搬送ローラー３６、３７、３８と、読み取り位置３５で読み取られた原稿３１を排紙する排紙ローラー３９と、排紙された原稿３１が載置される排紙トレイ４０とを含む。搬送ローラー３８は、白色の部材で構成されている。搬送ローラー３８は、後述する画像読み取り部としてのＣＣＤセンサー４４のシェーディング補正を行う際の白基準となる白基準部である。搬送ローラー３８は、後述する光照射部４３による光の照射が可能な位置に設けられる。
【００２０】
次に、ＡＤＦ２２を含む画像読み取り装置１４の構成について説明する。画像読み取り装置１４は、画像を読み取る原稿３１を載置する載置台４１と、矢印Ｄ１またはその逆の方向で示す副走査方向に移動可能なキャリッジ４２と、画像が読み取られる原稿３１に対して光を照射する光照射部４３と、原稿３１からの反射光を集光する複数のミラーおよびレンズ（いずれも図示せず）と、原稿３１からの反射光から原稿３１の画像を読み取る画像読み取り部としてのＣＣＤ（Ｃｈａｒｇｅ  Ｃｏｕｐｌｅｄ  Ｄｅｖｉｃｅ）センサー４４と、載置台４１上に原稿３１を載置する際の基準位置を示す基準板４５と、基準板４５の横に設けられ、透明の部材で構成されるガラス板４６とを備える。イメージセンサーとしてのＣＣＤセンサー４４は、光照射部４３が原稿３１の画像に照射した光の反射光を受光可能である。
【００２１】
載置台４１は、その上に原稿３１を配置可能な透明板である。載置台４１としては、この実施形態では、コンタクトガラスを用いている。キャリッジ４２には、載置台４１の下方領域から上側に向かって光を照射する光照射部４３が設けられている。すなわち、光照射部４３は、キャリッジ４２の移動と共に、副走査方向に移動する。
【００２２】
光照射部４３は、いわゆる複数のＬＥＤ（Ｌｉｇｈｔ  Ｅｍｉｔｔｉｎｇ  Ｄｉｏｄｅ）を主走査方向に配置することにより構成されている。画像読み取り時に、光照射部４３は、原稿３１の読み取り位置３５に対して、図３中の矢印Ｅ１で示す方向に光を照射する。照射された光を受けて反射する原稿３１側からの反射光の方向は、図３中の矢印Ｅ２で示される。この矢印Ｅ２で示される方向に向かう反射光が、ミラーおよびレンズを介してＣＣＤセンサー４４によって受光される。
【００２３】
キャリッジ４２は、載置台４１上に載置された原稿３１の画像を読み取る際に、副走査方向、具体的には、矢印Ｄ１の方向に移動する。光照射部４３は、キャリッジ４２の移動に伴って副走査方向に移動しながら、載置台４１側に向かって光を照射する。そして、受けた光により載置台４１側、具体的には、載置台４１の上に載置された原稿３１側から反射される反射光を複数のミラーおよびレンズによって集光する。集光した光をＣＣＤセンサー４４に入力させることにより、載置台４１上に載置された原稿３１の画像を読み取る。このようにして、いわゆる原稿３１の画像のスキャンを行い、原稿３１の画像を読み取る。原稿３１の画像を読み取った後、読み取られた原稿３１の画像データを基に、画像形成部１５により画像を形成し、用紙等に出力する。
【００２４】
なお、ＡＤＦ２２によって搬送されてきた原稿３１の画像を読み取る際には、キャリッジ４２は、副走査方向において、ガラス板４６の位置に留められる。そして、読み取り位置３５で、ＡＤＦ２２によって搬送されてきた原稿３１の画像を読み取る。
【００２５】
画像読み取り装置１４は、白黒原稿はもちろん、カラー原稿における色情報についても読み取ることができる。なお、載置台４１に載置された原稿３１の画像の読み取りは、操作部１３に設けられたスタートキーの押下の検知を待って行われる。
【００２６】
次に、複合機１１に備えられる制御部１２の構成について説明する。図４は、制御部１２の構成を示すブロック図である。図４を参照して、制御部１２は、補正部２５と、記憶制御部２６と、変化値導出部２７と、タイミング決定部２８とを備える。補正部２５は、所定のタイミングに達すれば光照射部４３により照射された光が搬送ローラー３８によって反射された反射光に基づいてシェーディング補正を行う。記憶制御部２６は、補正部２５により補正された補正値のデータをハードディスク１７に記憶するよう制御する。変化値導出部２７は、補正部２５によりシェーディング補正を行った際に得られた補正値のデータとハードディスク１７に記憶された前回の補正値のデータとの変化の値である変化値を導出する。タイミング決定部２８は、変化値導出部２７により導出された変化値に基づいて、次回の補正部２５によるシェーディング補正を行うタイミングを決定する。具体的には、タイミング決定部２８は、変化値導出部２７により導出された変化値が所定の範囲内か否かを判断する判断部２９を含む。タイミング決定部２８は、判断部２９により変化値が所定の範囲内であると判断されれば、所定の時間間隔よりも長い第一の時間間隔で補正部２５によるシェーディング補正を行うタイミングを決定する。また、タイミング決定部２８は、判断部２９により変化値が所定の範囲外であると判断されれば、所定の時間間隔よりも短い第二の時間間隔で補正部２５によるシェーディング補正を行うタイミングを決定する。これらの構成の詳細については、後に詳述する。
【００２７】
次に、このような複合機１１により、シェーディング補正を行う際の処理の流れについて説明する。図５は、シェーディング補正を行う際の処理の流れを示すフローチャートである。
【００２８】
併せて図５を参照して、補正部２５は、指定待機時間に達したか否かを判断する（図５において、ステップＳ１１、以下、「ステップ」を省略する）。この場合の指定待機時間に達したタイミングが、所定のタイミングとなる。
【００２９】
指定待機時間に達したと判断されれば（Ｓ１１において、ＹＥＳ）、補正部２５は、シェーディング補正を実行する（Ｓ１２）。すなわち、光照射部４３により搬送ローラー３８に光を照射し、搬送ローラー３８からの反射光を受光する。そして、受光した反射光に基づいて、シェーディング補正を行う。この時に得られたシェーディング補正の補正値を補正値データＸ１とする。
【００３０】
シェーディング補正を行った後、前回の補正値データと、今回の補正値データとを比較する（Ｓ１３）。この場合、変化値導出部２７は、補正部２５によりシェーディング補正を行った際に得られた補正値データＸ１とハードディスク１７に記憶された前回の補正値データＸ０との変化の値である変化値を導出する。具体的には、補正値データＸ０と補正値データＸ１との変化値である差分Ｙ１を求める。具体的には、デジタル値として補正値データＸ０が７００であり、補正値データＸ１が５００であった場合、差分Ｙ１は、２００という数値となる。
【００３１】
その後、判断部２９は、変化値導出部２７により導出された変化値が所定の範囲内か否かを判断する（Ｓ１４）。すなわち、差分Ｙ１が所定の範囲内であるか否かを判断する。
【００３２】
判断部２９により所定の範囲内であると判断されれば（Ｓ１４において、ＹＥＳ）、指定待機時間を長く設定する（Ｓ１５）。具体的には、タイミング決定部２８は、次回の補正部２５によるシェーディング補正を行うタイミングを、所定の時間間隔よりも長い第一の時間間隔で到達するよう補正部２５によるシェーディング補正を行うタイミングを決定する。例えば、所定の時間間隔を１分とした場合、１分よりも長い１分１０秒という時間間隔に決定する。
【００３３】
その後、記憶制御部２６は、今回の補正値データＸ１をハードディスク１７に記憶するよう制御する（Ｓ１７）。すなわち、次に判断部２９により判断される際に用いられるのは、この補正値データＸ１である。その後、指定待機時間に達するまで待機する（Ｓ１８）。なお、補正値データＸ０については、別途ハードディスク１７に記憶しておいてもよいし、いわゆる上書きで記憶することにしてもよい。
【００３４】
一方、判断部２９により所定の範囲内でないと判断されれば（Ｓ１４において、ＮＯ）、指定待機時間を短く設定する（Ｓ１９）。具体的には、タイミング決定部２８は、次回の補正部２５によるシェーディング補正を行うタイミングを、所定の時間間隔よりも短い第二の時間間隔で到達するよう補正部２５によるシェーディング補正を行うタイミングを決定する。例えば、所定の時間間隔を１分とした場合、１分よりも短い５０秒という時間間隔に決定する。その後の処理については、上記と同様である。
【００３５】
このような複合機１１によると、タイミング決定部２８は、変化値導出部２７により導出された変化値に基づいて、次回の補正部２５によるシェーディング補正を行うタイミングを決定することとしている。具体的には、判断部２９により変化値である差分Ｙ１が所定の範囲内にあると判断されれば、所定の時間間隔よりも長い第一の時間間隔で補正部２５によるシェーディング補正を行うタイミングを決定する。そうすると、例えば、変化値が小さい場合には、シェーディング補正を行う頻度を少なくすることができ、省エネルギーを実現することができる。この場合、シェーディング補正の補正データと前回の補正データとの変化の度合いが小さいため、画像読み取り時における画質をある程度高く維持することができる。したがって、省エネルギーを実現し、画像読み取り装置１４により、ユーザーの要望に応じた画像の読み取りを行うことができる。
【００３６】
また、このような複合機１１によると、省エネルギーを実現可能であって、ユーザーの要望に応じた画像形成を行うことができる。
【００３７】
この場合、タイミング決定部２８は、変化値導出部２７により導出された変化値が所定の範囲内か否かを判断する判断部２９を含み、判断部２９により変化値が所定の範囲内であると判断されれば、所定の時間間隔よりも長い第一の時間間隔で補正部２５による前記シェーディング補正を行うタイミングを決定するため、所定の範囲内か否かに基づいて、シェーディング補正を行うタイミングを決定することができ、より適切なタイミングでシェーディング補正を行うタイミングを決定することができる。
【００３８】
また、この場合、タイミング決定部２８は、判断部２９により変化値が所定の範囲外であると判断されれば、所定の時間間隔よりも短い第二の時間間隔で補正部２５によるシェーディング補正を行うタイミングを決定するため、シェーディング補正を行う頻度を増加させて画像の読み取り時における画質の劣化を抑制することができる。したがって、ユーザーの要望に応じた画像の読み取りを行うことができる。
【００３９】
なお、上記の実施の形態においては、タイミング決定部２８は、判断部２９を含み、判断部２８による判断結果、すなわち、変化値が所定の範囲内であるか否かに基づいてシェーディング補正を行うタイミングを決定することとしたが、これに限らず、タイミング決定部は、変化値に基づいて、すなわち、例えば、変化値の変化の度合いと相関関係を有するよう次回の補正部２５によるシェーディング補正を行うタイミングを決定することとしてもよい。
【００４０】
また、複合機１１については、以下のような構成としてもよい。図６は、この発明の他の実施形態に係る画像形成装置としての複合機に備えられる制御部５２の構成を示すブロック図である。図６は、図４に対応する。
【００４１】
図６を参照して、複合機に備えられる制御部５２は、上記した制御部１２に含まれる補正部２５、記憶制御部２６、変化値導出部２７、タイミング決定部２８、および判断部２９に加え、停止指示受け付け部５３と、補正部作動停止制御部５４と、時間計測部５５と、検知部５６と、再開制御部５７と、開始指示受け付け部５８と、問い合わせ受け付け部５９とを含む。停止指示受け付け部５３は、補正部２５によるシェーディング補正の停止の指示を受け付ける。補正部作動停止制御部５４は、停止指示受け付け部５３によりシェーディング補正の停止の指示を受け付ければ、タイミング決定部２８により決定されたタイミングに関わらず、補正部２５の作動を停止するよう制御する。時間計測部５５は、画像読み取り装置１４により原稿の画像を読み取ってからの時間の経過を計測する。補正部作動停止制御部５４は、時間計測部５５により計測された時間が所定の時間を経過すれば、補正部２５の作動を停止するよう制御する。検知部５６は、画像読み取り装置１４への作動の要求を検知する。再開制御部５７は、検知部５６により画像読み取り装置１４への作動の要求を検知すれば、補正部作動停止制御部５４により停止するよう制御された補正部２５の作動を再開させる。開始指示受け付け部５８は、原稿の画像の読み取りの開始の指示を受け付ける。タイミング決定部２８は、開始指示受け付け部５８により原稿の画像の読み取りの開始の指示を受け付ければ、補正部２５によるシェーディング補正を行うタイミングを、画像読み取り装置１４による原稿の画像の読み取りの前のタイミングに決定する。問い合わせ受け付け部５９は、画像読み取り装置１４による原稿の画像の読み取り中に補正部２５によるシェーディング補正のタイミングに達すれば、画像読み取り装置１４による原稿の画像の読み取りを中断して補正部２５によるシェーディング補正の実行の有無の問い合わせを受け付ける。
【００４２】
このような構成によると、停止指示受け付け部５３により、補正部２５によるシェーディング補正の停止の指示を受け付けると、補正部作動停止制御部５４は、停止指示受け付け部５３によりシェーディング補正の停止の指示を受け付ければ、タイミング決定部２８により決定されたタイミングに関わらず、補正部２５の作動を停止するよう制御するため、ユーザーの要望に応じて、いわゆるシェーディング補正の機能をオフとすることができる。したがって、省エネルギーを実現しながら、ユーザーの要望に応じた画像の読み取りを行うことができる。
【００４３】
また、時間計測部５５は、画像読み取り装置１４により原稿の画像を読み取ってからの時間の経過を計測し、補正部作動停止制御部５４は、時間計測部５５により計測された時間が所定の時間を経過すれば、補正部２５の作動を停止するよう制御するため、例えば、原稿の画像が読み取られてから所定の時間よりも長時間経過すれば、いわゆるシェーディング補正の機能をオフとすることができる。したがって、省エネルギーを実現することができる。
【００４４】
また、検知部５６は、画像読み取り装置１４への作動の要求を検知し、再開制御部５７は、検知部５６により画像読み取り装置１４への作動の要求を検知すれば、補正部作動停止制御部５４により停止するよう制御された補正部２５の作動を再開させるため、検知部５６による検知、具体的には、操作部１３におけるユーザーの操作の検知や、ＡＤＦ２２への原稿３１のセット等を検知した際に、シェーディング補正の機能を再びオンにして、再開させることができる。
【００４５】
また、開始指示受け付け部５８は、原稿の画像の読み取りの開始の指示を受け付ける。そして、タイミング決定部２８は、開始指示受け付け部５８により原稿の画像の読み取りの開始の指示を受け付ければ、補正部２５によるシェーディング補正を行うタイミングを、画像読み取り装置１４による原稿の画像の読み取りの前のタイミングに決定するため、読み取り開始の直前でシェーディング補正を行うため、より高画質で画像を読み取ることができる。
【００４６】
また、問い合わせ受け付け部５９は、画像読み取り装置１４による原稿の画像の読み取り中に補正部２５によるシェーディング補正のタイミングに達すれば、画像読み取り装置１４による原稿の画像の読み取りを中断して補正部２５によるシェーディング補正の実行の有無の問い合わせを受け付けるため、よりユーザーの要望に応じて、画像を読み取ることができる。すなわち、画像読み取りにおける時間のロスを低減させたいユーザーは、例えば、画像の読み取りの中断を無しとする。また、できるだけ高画質で画像を読み取りたいユーザーは、画像の読み取りの中断を有りとする。
【００４７】
なお、上記の実施の形態においては、変化値導出部２７は、前回の補正値データＸ０と今回の補正値データＸ１との差分Ｙ１を変化値として導出することとしたが、これに限らず、前回の補正値データＸ０に対する今回の補正値データＸ１の変化率を変化値として導出することとしてもよい。
【００４８】
また、上記の実施の形態においては、白基準部として、搬送ローラー３８を利用することとしたが、これに限らず、白基準部として他の部材、例えば、載置台４１を覆うカバーの一部等を白基準部として利用することとしてもよい。
【００４９】
なお、上記の実施の形態において、制御部１２、５２、ハードディスク１７等は、複合機１１に備えられることとしたが、これに限らず、画像読み取り装置１４が制御部１２、５２、ハードディスク１７等の構成を備えることとしてもよい。すなわち、例えば、画像読み取り装置１４は、画像を読み取る原稿に対して光を照射する光照射部と、原稿からの反射光から原稿の画像を読み取る画像読み取り部と、白色であって、光照射部による光の照射が可能な位置に設けられる白基準部と、所定のタイミングに達すれば光照射部により照射された光が白基準部によって反射された反射光に基づいてシェーディング補正を行う補正部と、データを記憶する記憶部と、補正部により補正された補正値のデータを記憶部に記憶するよう制御する記憶制御部と、補正部によりシェーディング補正を行った際に得られた補正値のデータと記憶部に記憶された前回の補正値のデータとの変化の値である変化値を導出する変化値導出部と、変化値導出部により導出された変化値に基づいて、次回の補正部によるシェーディング補正を行うタイミングを決定するタイミング決定部とを備える構成としてもよい。
【００５０】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５１】
この発明に係る画像読み取り装置、および画像形成装置は、省エネルギーを実現可能であって、ユーザーの要望に応じた画像の読み取りが要求される場合に、特に有効に利用される。
【符号の説明】
【００５２】
１１  複合機、１２，５２  制御部、１３  操作部、１４  画像読み取り装置、１５  画像形成部、１６  給紙カセット、１７  ハードディスク、１８  ネットワークインターフェース部、１９  主記憶メモリ、２１  表示画面、２２  ＡＤＦ、２３  ネットワーク、２５  補正部、２６  記憶制御部、２７  変化値導出部、２８  タイミング決定部、２９  判断部、３１  原稿、３２  原稿セット台、３３  ピックアップローラー、３４  分離ローラー、３５  読み取り位置、３６，３７，３８  搬送ローラー、４１  載置台、４２  キャリッジ、４３  光照射部、４４  ＣＣＤセンサー、４５  基準板、４６  ガラス板、５３  停止指示受け付け部、５４  補正部作動停止制御部、５５  時間計測部、５６  検知部、５７  再開制御部、５８  開始指示受け付け部、５９  問い合わせ受け付け部。
【図１】
2019062274.tif 000003
【図２】
2019062274.tif 000004
【図３】
2019062274.tif 000005
【図４】
2019062274.tif 000006
【図５】
2019062274.tif 000007
【図６】
2019062274.tif 000008